(57)【要約】【課題】本発明は、直流抵抗値や特性インピーダンスを大きく変動させることなく外部電極との接続信頼性を高めることができるコモンモードノイズフィルタを提供することを目的とするものである。【解決手段】本発明のコモンモードノイズフィルタは、第１の渦巻状導体２４と第１、第２の引出導体２６、２７とを接続し、第２の渦巻状導体２５と第３、第４の引出導体２８、２９とを接続し、第１の渦巻状導体２４と第２の渦巻状導体２５とを磁気結合させ、第１〜第４の外部電極２３ａ〜２３ｄをそれぞれ第１〜第４の引出導体２６〜２９と接続し、かつ第１、第２の渦巻状導体２４、２５と第１〜第４の引出導体２６〜２９とは異なる絶縁体層に形成するとともに、第１、第２の渦巻状導体２４、２５の厚みより第１〜第４の引出導体２６〜２９の厚みを厚くしているものである。【選択図】図１
2013135109.tif 000002
【特許請求の範囲】
【請求項１】
複数の絶縁体層と、前記複数の絶縁体層を積層することによって設けられた積層体と、前記積層体の外部に形成された第１〜第４の外部電極と、前記積層体の内部に形成された第１、第２の渦巻状導体、第１〜第４の引出導体と、前記第１の渦巻状導体の両端部と第１、第２の引出導体とをそれぞれ第１、第２のビア電極を介して接続して形成された第１のコイルと、前記第２の渦巻状導体の両端部と第３、第４の引出導体とをそれぞれ第３、第４のビア電極を介して接続して形成された第２のコイルとを備え、前記第１の渦巻状導体と前記第２の渦巻状導体とを磁気結合させ、前記第１〜第４の外部電極をそれぞれ前記第１〜第４の引出導体と接続し、かつ前記第１、第２の渦巻状導体と前記第１〜第４の引出導体とは異なる絶縁体層に形成するとともに、前記第１、第２の渦巻状導体の厚みより前記第１〜第４の引出導体の厚みを厚くしたコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のコモンモードノイズフィルタは、図３に示すように、第１〜第４の絶縁層１〜４のそれぞれの上面に第１〜第４の導体５〜８を設け、そして第１の導体５と第２の導体６とをバイア電極９を介して接続することにより第１のコイル１０を成形するとともに、第３の導体７と第４の導体８とをバイア電極１１を介して接続することにより第２のコイル１２を形成していた。さらに、第２、第３の導体６、７を渦巻き状にするとともに、第１〜第４の導体５〜８の一端部をそれぞれ外部電極（以下、図示せず）と接続させていた。
【０００３】
また、前記第１の絶縁層１の下面と第４の導体８の上面に第５の絶縁層１３をそれぞれ設け、さらに、前記第２〜第４の絶縁層２〜４を非磁性体で構成するとともに、前記第１の絶縁層１と第５の絶縁層１３を磁性体で構成していた。
【０００４】
上記のような構成とすることにより、第３の絶縁層３を介して対向する第２の導体６と第３の導体７とを磁気結合させ、これにより、第１のコイル１０と第２のコイル１２のコモンモード成分のインピーダンスを大きくして、コモンモードノイズを除去するようにしていた。
【０００５】
なお、この出願の発明に関する先行技術文献情報としては、例えば、特許文献１が知られている。
【先行技術文献】
【特許文献】
【０００６】
【特許文献１】特開２００１−６０５１４号公報
【発明の概要】
【発明が解決しようとする課題】
【０００７】
上記した従来のコモンモードノイズフィルタにおいては、導体５〜８の一端部を外部電極側に引き出して外部電極と接続させているため、第１〜第４の導体５〜８の厚みを厚くして導体と外部電極との接続信頼性を高めようとすると、磁気結合する渦巻き状の第２、第３の導体６、７の厚みも厚くなり、これにより、直流抵抗値や特性インピーダンスが大きく変動してしまうという課題を有していた。
【０００８】
本発明は上記従来の課題を解決するもので、直流抵抗値や特性インピーダンスを大きく変動させることなく外部電極との接続信頼性を高めることができるコモンモードノイズフィルタを提供することを目的とするものである。
【課題を解決するための手段】
【０００９】
上記目的を達成するために、本発明は以下の構成を有するものである。
【００１０】
本発明の請求項１に記載の発明は、複数の絶縁体層と、前記複数の絶縁体層を積層することによって設けられた積層体と、前記積層体の外部に形成された第１〜第４の外部電極と、前記積層体の内部に形成された第１、第２の渦巻状導体、第１〜第４の引出導体と、前記第１の渦巻状導体の両端部と第１、第２の引出導体とをそれぞれ第１、第２のビア電極を介して接続して形成された第１のコイルと、前記第２の渦巻状導体の両端部と第３、第４の引出導体とをそれぞれ第３、第４のビア電極を介して接続して形成された第２のコイルとを備え、前記第１の渦巻状導体と前記第２の渦巻状導体とを磁気結合させ、前記第１〜第４の外部電極をそれぞれ前記第１〜第４の引出導体と接続し、かつ前記第１、第２の渦巻状導体と前記第１〜第４の引出導体とは異なる絶縁体層に形成するとともに、前記第１、第２の渦巻状導体の厚みより前記第１〜第４の引出導体の厚みを厚くしたもので、この構成によれば、コモンモードノイズの減衰特性に影響をほとんど与えない第１〜第４の引出導体のみその厚みを厚くし、そして、この厚みが厚い第１〜第４の引出導体のみを外部電極と接続しているため、直流抵抗値や特性インピーダンスを大きく変動させることなく外部電極との接続信頼性を高めることができるという作用効果を有するものである。
【発明の効果】
【００１１】
以上のように本発明のコモンモードノイズフィルタは、第１の渦巻状導体と第２の渦巻状導体とを磁気結合させ、第１〜第４の外部電極をそれぞれ第１〜第４の引出導体と接続し、かつ前記第１、第２の渦巻状導体と前記第１〜第４の引出導体とは異なる絶縁体層に形成するとともに、前記第１、第２の渦巻状導体の厚みより前記第１〜第４の引出導体の厚みを厚くしているため、コモンモードノイズの減衰特性に影響をほとんど与えない第１〜第４の引出導体のみその厚みを厚くし、そして、この厚みが厚い第１〜第４の引出導体のみを外部電極と接続することになり、これにより、外部電極に接続する引出導体の厚みを厚くして外部電極との接続信頼性を高めても、直流抵抗値や特性インピーダンスの変動を低減できるという優れた効果を奏するものである。
【図面の簡単な説明】
【００１２】
【図１】本発明の一実施の形態におけるコモンモードノイズフィルタの分解斜視図
【図２】同コモンモードノイズフィルタの主要部の斜視図
【図３】従来のコモンモードノイズフィルタの分解斜視図
【発明を実施するための形態】
【００１３】
以下、本発明の一実施の形態におけるコモンモードノイズフィルタについて、図面を参照しながら説明する。
【００１４】
図１は本発明の一実施の形態におけるコモンモードノイズフィルタの分解斜視図、図２は同コモンモードノイズフィルタの斜視図である。
【００１５】
本発明の一実施の形態におけるコモンモードノイズフィルタは、図１、図２に示すように、第１〜第５の絶縁体層２１ａ〜２１ｅと、第１〜第５の絶縁体層２１ａ〜２１ｅを積層することによって設けられた積層体２２と、前記積層体２２の外部に形成された第１〜第４の外部電極２３ａ〜２３ｄと、前記積層体２２の内部に形成された第１、第２の渦巻状導体２４、２５、第１〜第４の引出導体２６〜２９と、前記第１の渦巻状導体２４の両端部２４ａ、２４ｂと第１、第２の引出導体２６、２７とをそれぞれ第１、第２のビア電極３０ａ、３０ｂを介して接続して形成された第１のコイル３１と、前記第２の渦巻状導体２５の両端部２５ａ、２５ｂと第３、第４の引出導体２８、２９とをそれぞれ第３、第４のビア電極３２ａ、３２ｂを介して接続して形成された第２のコイル３３とを備えている。
【００１６】
また、前記第１の渦巻状導体２４と前記第２の渦巻状導体２５とを磁気結合させ、前記第１〜第４の外部電極２３ａ〜２３ｄをそれぞれ前記第１〜第４の引出導体２６〜２９と接続し、かつ前記第１、第２の渦巻状導体２４、２５と前記第１〜第４の引出導体２６〜２９とは異なる絶縁体層に形成するとともに、前記第１、第２の渦巻状導体２４、２５の厚みより前記第１〜第４の引出導体２６〜２９の厚みを厚くしているものである。
【００１７】
上記構成において、前記第１の絶縁体層２１ａはＣｕ−Ｎｉ−Ｚｎフェライト等の磁性材料、またはＣｕ−Ｚｎフェライト、ガラスセラミック等の非磁性材料によりシート状に構成されているもので、絶縁性を有している。
【００１８】
また、前記第１、第２の引出導体２６、２７は、第１の絶縁体層２１ａの上面に銀等の導電材料をめっきすることにより形成されている。なお、この第１の引出導体２６、第２の引出導体２７は、それぞれ第１の絶縁体層２１ａの異なる方向に引き出されている。
【００１９】
そして、前記第２の絶縁体層２１ｂは、Ｃｕ−Ｚｎフェライト、ガラスセラミック等の非磁性材料によりシート状に構成されているもので、絶縁性を有し、かつ第１、第２の引出導体２６、２７の上面に設けられている。また、この第２の絶縁体層２１ｂには第１、第２のビア電極３０ａ、３０ｂが形成されている。ここで、第１の引出導体２６と第１のビア電極３０ａとが接続され、第２の引出導体２７と第２のビア電極３０ｂとが接続されている。
【００２０】
さらに、前記第１の渦巻状導体２４は、渦巻状に銀等の導電材料をめっきすることにより形成されるもので、第２の絶縁体層２１ｂの上面に設けられている。さらに、第１の渦巻状導体２４の厚みは第１、第２の引出導体２６、２７の厚みより薄くなっている。また、この第１の渦巻状導体２４の一端部２４ａすなわち渦巻きの中心部は、第１のビア電極３０ａと接続され、これにより、第１のビア電極３０ａを介して第１の引出導体２６と電気的に接続される。そして、第１の渦巻状導体２４の他端部２４ｂは、第２のビア電極３０ｂと接続され、これにより、第２のビア電極３０ｂを介して第２の引出導体２７と電気的に接続される。この構成により、第１の渦巻状導体２４と、その両端部２４ａ、２４ｂに接続された第１、第２の引出導体２６、２７とからなる第１のコイル３１が形成される。さらに、第１の渦巻状導体２４の両端部２４ａ、２４ｂは第２の絶縁体層２１ｂから直接外部電極に接続されない。すなわち、従来は、第１の渦巻状導体２４の他端部２４ｂは、第１の渦巻状導体２４が上面に形成された絶縁体層と同じ絶縁体層上で直接外部電極に接続されていたが、本発明では、第１の渦巻状導体２４の他端部２４ｂは、第１の渦巻状導体２４が上面に形成された絶縁体層２１ｂと異なる絶縁体層２１ａ上の第２の引出導体２７から外部電極２３ｂに電気的に接続される。
【００２１】
また、前記第３の絶縁体層２１ｃは、Ｃｕ−Ｚｎフェライト、ガラスセラミック等の非磁性材料によりシート状に構成されているもので、絶縁性を有し、かつ第１の渦巻状導体２４の上面に設けられている。
【００２２】
さらにまた、前記第２の渦巻状導体２５は、渦巻状に銀等の導電材料をめっきすることにより形成されるもので、第３の絶縁体層２１ｃの上面に設けられている。また、この第２の渦巻状導体２５は、第１の渦巻状導体２４と第３の絶縁体層２１ｃを介して上面視にて重なるように対向している。そして、第３の絶縁体層２１ｃを介して積層方向に隣り合う第１の渦巻状導体２４と第２の渦巻状導体２５は、互いに磁気的な影響を及ぼし合うため、磁気結合することにし、これにより、第１のコイル３１、第２のコイル３２のコモンモード成分のインピーダンスを大きくすることができる。
【００２３】
前記第４の絶縁体層２１ｄは、Ｃｕ−Ｚｎフェライト、ガラスセラミック等の非磁性材料によりシート状に構成されているもので、絶縁性を有し、かつ第２の渦巻状導体２５の上面に設けられている。また、この第４の絶縁体層２１ｄには第３、第４のビア電極３２ａ、３２ｂが形成されており、第２の渦巻状導体２５の一端部２５ａすなわち渦巻きの中心部は、第３のビア電極３２ａと接続され、第２の渦巻状導体２５の他端部２５ｂは、第４のビア電極３２ｂと接続されている。
【００２４】
前記第３、第４の引出導体２８、２９は、銀等の導電材料をめっきすることにより形成されるもので、第４の絶縁体層２１ｄの上面に設けられている。さらに、第３、第４の引出導体２８、２９の厚みは第２の渦巻状導体２５の厚みより厚くなっている。なお、この第３の引出導体２８、第４の引出導体２９は、それぞれ第４の絶縁体層２１ｄの異なる方向に引き出されている。
【００２５】
また、この第３の引出導体２８は、第３のビア電極３２ａと接続されているもので、これにより、第３のビア電極３２ａを介して第２の渦巻状導体２５の一端部２５ａと電気的に接続される。そして、第４の引出導体２９は、第４のビア電極３２ｂと接続されているもので、これにより、第４のビア電極３２ｂを介して第２の渦巻状導体２５の他端部２５ｂと電気的に接続される。この構成により、第２の渦巻状導体２５と、その両端部２５ａ、２５ｂに第３、第４のビア電極３２ａ、３２ｂを介して接続された第３、第４の引出導体２８、２９とからなる第２のコイル３３が形成される。さらに、第２の渦巻状導体２５の端部２５ａ、２５ｂは第３の絶縁体層２１ｃから直接外部電極に接続されないようになっている。すなわち、第２の渦巻状導体２５の他端部２５ｂは、第２の渦巻状導体２５が上面に形成された絶縁体層２１ｃと異なる絶縁体層２１ｄ上の第４の引出導体２９から外部電極２３ｄに電気的に接続される。
【００２６】
なお、前記第１の渦巻状導体２４、第２の渦巻状導体２５を渦巻状にすることによって、第１のコイル３１、第２のコイル３３のコモンモード成分のインピーダンスを大きくすることができる。
【００２７】
また、第１、第２のビア電極３０ａ、３０ｂおよび第３、第４のビア電極３２ａ、３２ｂは、それぞれ第２の絶縁体層２１ｂを貫通する孔および第４の絶縁体層２１ｄを貫通する孔に銀等の導電体を充填することにより構成している。
【００２８】
そして、前記第５の絶縁体層２１ｅは、Ｃｕ−Ｎｉ−Ｚｎフェライト等の磁性材料、またはＣｕ−Ｚｎフェライト、ガラスセラミック等の非磁性材料によりシート状に構成されているもので、絶縁性を有し、かつ第３、第４の引出導体２８、２９の上面に設けられている。
【００２９】
さらに、前記第１の絶縁体層２１ａの下面と第５の絶縁体層２１ｅの上面にはダミー絶縁体層３４が設けられているもので、このダミー絶縁体層３４は、シート状に構成され、絶縁性を有しているが、その材料は磁性材料、非磁性材料のどちらで構成しても構わないし、磁性体と非磁性体とを交互に積層したもので構成してもよい。また、第１〜第５の絶縁体層２１ａ〜２１ｅ、ダミー絶縁体層３４の枚数は、図１に示された枚数に限定されるものではない。さらに、第１、第２の渦巻状導体２４、２５、第１〜第４の引出導体２６〜２９はめっきで形成するのではなく、その他印刷や蒸着等の方法で形成してもよい。
【００３０】
そして、上記したように、第１〜第５の絶縁体層２１ａ〜２１ｅ、ダミー絶縁体層３４を積層することにより積層体２２が構成される。また、この積層体２２の両側面には、第１〜第４の外部電極２３ａ〜２３ｄが設けられ、そしてこの第１〜第４の外部電極２３ａ〜２３ｄはそれぞれ前記第１〜第４の引出導体２６〜２９の端部と電気的に接続されている。
【００３１】
なお、第１〜第５の絶縁体層２１ａ〜２１ｅのうち非磁性材料で構成された絶縁体層の少なくとも１枚について、上面視にて第１の渦巻状導体２４、第２の渦巻状導体２５の内側に対応する部分に貫通孔を設け、この貫通孔を磁性材料で充填し、コモンモードインピーダンスを高めるようにしてもよい。
【００３２】
次に、本発明の一実施の形態におけるコモンモードノイズフィルタの製造方法について説明する。
【００３３】
図１、図２において、まず、それぞれの原材料である磁性材料や非磁性材料のセラミック粉末および樹脂からなる混合物により、略方形状の第１〜第５の絶縁体層２１ａ〜２１ｅ、ダミー絶縁体層３４をそれぞれ所定枚数作製する。このとき、第２の絶縁体層２１ｂ、第４の絶縁体層２１ｄの所定の２箇所に、レーザ、パンチング等で孔あけ加工をし、この孔に銀を充填して、第１〜第４のビア電極３０ａ、３０ｂ、３２ａ、３２ｂを形成する。
【００３４】
次に、所定枚数のダミー絶縁体層３４の上面に、第１の絶縁体層２１ａを配置し、その後、第１の絶縁体層２１ａの上面に、第１、第２の引出導体２６、２７を、めっきによって形成する。
【００３５】
次に、第１、第２の引出導体２６、２７の上面に、第１、第２のビア電極３０ａ、３０ｂが設けられた第２の絶縁体層２１ｂを配置する。このとき、第１の引出導体２６と第１のビア電極３０ａとを接続するとともに、第２の引出導体２７と第２のビア電極３０ｂとを接続する。
【００３６】
次に、第２の絶縁体層２１ｂ上面に、第１の渦巻状導体２４をめっきによって形成する。このとき、第１の渦巻状導体２４の一端部２４ａを第１のビア電極３０ａと接続し、他端部２４ｂを第２のビア電極３０ｂと接続する。
【００３７】
次に、第１の渦巻状導体２４の上面に、第３の絶縁体層２１ｃを配置し、その後、第３の絶縁体層２１ｃの上面に、渦巻状の第２の渦巻状導体２５をめっきによって形成する。
【００３８】
次に、第２の渦巻状導体２５の上面に、第３、第４のビア電極３２ａ、３２ｂが設けられた第４の絶縁体層２１ｄを配置する。このとき、第２の渦巻状導体２５の一端部２５ａを第３のビア電極３２ａと接続し、他端部２５ｂを第４のビア電極３２ｂと接続する。
【００３９】
次に、第４の絶縁体層２１ｄの上面に、第３、第４の引出導体２８、２９をめっきによって形成する。このとき、第３の引出導体２８と第３のビア電極３２ａとを接続するとともに、第４の引出導体２９と第４のビア電極３２ｂとを接続する。
【００４０】
なお、第１、第２の渦巻状導体２４、２５、第１〜第４の引出導体２６〜２９の形成方法は、別途用意したベース版（図示せず）に所定パターン形状の導体をめっきによって形成し、その後、この導体を各絶縁層に転写することにより形成するものである。
【００４１】
次に、第３、第４の引出導体２８、２９の上面に、第５の絶縁体層２１ｅを配置し、その後、第５の絶縁体層２１ｅの上面に所定枚数のダミー絶縁体層３４を配置して積層体２２を形成する。
【００４２】
なお、上記製造工程においては、製造上の効率を向上させるために、各絶縁層に第１、第２の渦巻状導体２４、２５、第１〜第４の引出導体２６〜２９をそれぞれ複数設けた後、各個片に切断するようにして、同時に複数の積層体２２を得るようにしてもよい。
【００４３】
次に、積層体２２を所定の温度、時間で焼成した後、積層体２２の両側面に、第１〜第４の引出電極２６〜２９とそれぞれ接続されるように銀を印刷することにより、第１〜第４の外部電極２３ａ〜２３ｄを形成する。
【００４４】
最後に、第１〜第４の外部電極２３ａ〜２３ｄの表面にめっきによってニッケルめっき層を形成するとともに、さらにこのニッケルめっき層の表面にめっきによってスズやはんだ等の低融点金属めっき層を形成するものである。
【００４５】
上記したように本発明の一実施の形態においては、第１の渦巻状導体２４と第２の渦巻状導体２５とを磁気結合させ、第１〜第４の外部電極２３ａ〜２３ｄをそれぞれ第１〜第４の引出導体２６〜２９と接続し、かつ前記第１、第２の渦巻状導体２４、２５と前記第１〜第４の引出導体２６〜２９とは異なる絶縁体層に形成するとともに、前記第１、第２の渦巻状導体２４、２５の厚みより前記第１〜第４の引出導体２６〜２９の厚みを厚くしているため、コモンモードノイズの減衰特性に影響をほとんど与えない第１〜第４の引出導体２６〜２９のみその厚みを厚くし、そして、この厚みが厚い第１〜第４の引出導体２６〜２９のみを外部電極と接続することになり、これにより、外部電極２３ａ〜２３ｄに接続する引出導体２６〜２９の厚みを厚くして外部電極２３ａ〜２３ｄとの接続信頼性を高くしても、直流抵抗値や特性インピーダンスの変動を低減できるという効果が得られるものである。
【００４６】
すなわち、第１、第２の渦巻状導体２４、２５が形成された絶縁体層２１ｂ、２１ｃと異なる絶縁体層２１ａ、２１ｄに設けられた第１〜第４の引出導体２６〜２９を介して、第１、第２の渦巻状導体２４、２５と第１〜第４の外部電極２３ａ〜２３ｄとが接続されることによって、第１、第２の渦巻状導体２４、２５は第２、第３の絶縁体層２１ｂ、２１ｃから直接外部電極に接続されず、第１〜第４の引出導体２６〜２９のみが外部電極に接続されている。この結果、第１、第２の渦巻状導体２４、２５（第１、第２のコイル３１、３３）と第１〜第４の外部電極２３ａ〜２３ｄとの接続信頼性を高めるために第１、第２のコイル３１、３３の厚みを厚くする場合、第１〜第４の引出導体２６〜２９のみの厚みを厚くすればよく、そして、第１、第２のコイル３１、３３の厚みが厚くなった部分は全体の一部であるため、直流抵抗値もほとんど変動することがない。また、第１、第２のコイル３１、３３の厚みを厚くしようとすると、その幅も広くなる（断面積が大きくなる）場合があるため、第１の渦巻状導体２４と第２の渦巻状導体２５との対向面積が増え、これにより、第１、第２のコイル３１、３３内において浮遊容量が増えるため、特性インピーダンスが低下し、規定の範囲から外れる可能性があるが、第１〜第４の引出導体２６〜２９のみの厚みを厚くすれば、第１〜第４の引出導体２６〜２９の幅が広がっても、第１の渦巻状導体２４と第２の渦巻状導体２５との対向面積や、第１、第２の渦巻状導体２４、２５と第１〜第４の引出導体２６〜２９の対向面積が増えることはないため、浮遊容量が増えて特性インピーダンスが低下するのを抑えることができる。
【００４７】
さらに、第１の渦巻状導体２４の一端部２４ａが接続された第１のビア電極３０ａと第２の渦巻状導体２５の一端部２５ａが接続された第３のビア電極３２ａとを上面視にて重なるように位置させ、かつ第１の渦巻状導体２４の他端部２４ｂが接続された第２のビア電極３０ｂと第２の渦巻状導体２５の他端部２５ｂが接続された第４のビア電極３２ｂとを上面視にて重なるように位置させれば、第１の渦巻状導体２４と第２の渦巻状導体２５とを同じ形状にすることができるため、これらを形成するためのマスクは１つで済み、これにより、生産性を向上させることができる。
【００４８】
また、第１〜第４の引出導体２６〜２９を、第１、第２の渦巻状導体２４、２５が形成された絶縁体層２１ｂ、２１ｃと異なる絶縁体層２１ａ、２１ｄに設けているため、第１、第２の渦巻状導体２４、２５を形成できるスペースが広くなり、これにより、第１、第２の渦巻状導体２４、２５の巻数を増やすことができるため、コモンモード成分のインピーダンスをより大きくすることができる。
【００４９】
そして、図１に示すように、第１の引出導体２６は第１のビア電極３０ａ近傍の第１の絶縁体層２１ａの一側面から外部電極２３ａに引き出され、第２の引出導体２７は第２のビア電極３０ｂ近傍の第１の絶縁体層２１ａの他側面から外部電極２３ｂに引き出されているため、第１の絶縁体層２１ａの中心付近は導体が形成されず、これにより、第１、第２の引出導体２６、２７の厚みが厚くなっても層間剥離の可能性は小さい。さらに、第１の絶縁体層２１ａ、第２の絶縁体層２１ｂとして圧縮率が高いものを使用すれば、第１の絶縁体層２１ａ、第２の絶縁体層２１ｂに第１、第２の引出導体２６、２７が食い込み易くなり、層間剥離の可能性をより小さくすることができる。ここで、第１の絶縁体層２１ａ、第２の絶縁体層２１ｂの圧縮率を高くするには、混練、分散前のセラミック粉末に熱処理を施して、混練、分散後のセラミック粉末の比表面積を熱処理前のセラミック粉末より減少させ、密度の低い絶縁体層を作製する方法がある。そして、第３の引出導体２８、第４の引出導体２９についても上記と同様である。
【００５０】
なお、上記本発明の一実施の形態におけるコモンモードノイズフィルタにおいては、第１のコイル３１と第２のコイル３３をそれぞれ１つ設けたものについて説明したが、第１のコイル３１と第２のコイル３３をそれぞれ複数設けたアレイタイプにしてもよいものである。
【産業上の利用可能性】
【００５１】
本発明に係るコモンモードノイズフィルタは、直流抵抗値や特性インピーダンスを大きく変動させることなく外部電極との接続信頼性を高めることができるという効果を有するものであり、特にデジタル機器やＡＶ機器、情報通信端末等の各種電子機器のノイズ対策として使用されるコモンモードノイズフィルタ等において有用となるものである。
【符号の説明】
【００５２】
２１ａ〜２１ｅ  第１〜第５の絶縁体層
２２  積層体
２３ａ〜２３ｄ  第１〜第４の外部電極
２４  第１の渦巻状導体
２５  第２の渦巻状導体
２６〜２９  第１〜第４の引出導体
３０ａ、３０ｂ  第１、第２のビア電極
３１  第１のコイル
３２ａ、３２ｂ  第３、第４のビア電極
３３  第２のコイル
【図１】
2013135109.tif 000003
【図２】
2013135109.tif 000004
【図３】
2013135109.tif 000005